(57)【要約】      （修正有）【課題】ネットワークに設定済みのパスのデータベースを用いて、新規に設定するパス設定の判断を高精度に行うことができるネットワーク管理装置、ネットワーク管理プログラム、及びネットワーク管理方法を提供する。【解決手段】ネットワーク管理装置は、第１パスの光信号のパワーに対する伝送品質の変化率を記憶する記憶部と、前記第１パスの経路の少なくとも一部と重なるように他の光信号の第２パスを設定するか否かを前記変化率から判定する設定処理部とを有する。【選択図】図１２
2018082344.tif 000002
【特許請求の範囲】
【請求項１】
第１パスの光信号のパワーに対する伝送品質の変化率を記憶する記憶部と、
前記第１パスの経路の少なくとも一部と重なるように他の光信号の第２パスを設定するか否かを前記変化率から判定する設定処理部とを有するネットワーク管理装置。
【請求項２】
前記設定処理部は、前記判定の結果に従い前記第２パスを設定することを特徴とする請求項１に記載のネットワーク管理装置。
【請求項３】
前記設定処理部は、前記変化率が所定の閾値以下である場合、前記第１パスに含まれる１以上のリンクに対して、パス設定時の選択の優先度を他のリンクより低く設定することにより、前記第１パスの経路と重ならないように前記第２パスを設定することを特徴とする請求項２に記載のネットワーク管理装置。
【請求項４】
前記第１パス及び前記第２パスの各光信号のパワーを制御する制御部と、
前記第１パス及び前記第２パスの各光信号の伝送品質を測定する測定部とを有し、
前記記憶部は、前記第１パスの光信号の伝送品質が所定値であるときの前記第１パスの光信号のパワーに対する前記伝送品質の変化率を記憶し、
前記制御部は、前記第２パスの光信号のパワーを増加させた場合、前記測定部により測定された前記第１パスの光信号の伝送品質が前記所定値を下回ったとき、前記第１パスの光信号のパワーを増加させることを特徴とする請求項２または３に記載のネットワーク管理装置。
【請求項５】
前記設定処理部は、前記制御部が前記第２パスの光信号のパワーを増加させた場合、前記測定部により測定された前記第２パスの光信号の伝送品質が低下したとき、前記第２パスを削除することを特徴とする請求項４に記載のネットワーク管理装置。
【請求項６】
前記制御部が前記第１パスの光信号のパワーを増加させた場合、前記測定部により測定された前記第１パスの光信号の伝送品質が前記所定値に達したとき、前記記憶部に記憶された前記変化率を更新する更新部を有することを特徴とする請求項４または５に記載のネットワーク管理装置。
【請求項７】
前記制御部は、前記第１パスが複数存在する場合、前記変化率の低い順に前記第１パスの光信号のパワーを増加させることを特徴とする請求項４乃至６の何れかに記載のネットワーク管理装置。
【請求項８】
第１パスの光信号のパワーに対する伝送品質の変化率を記憶し、
前記第１パスの経路の少なくとも一部と重なるように他の光信号の第２パスを設定するか否かを前記変化率から判定する、処理をコンピュータに実行させることを特徴とするネットワーク管理プログラム。
【請求項９】
第１パスの光信号のパワーに対する伝送品質の変化率を記憶する工程と、
前記第１パスの経路の少なくとも一部と重なるように他の光信号の第２パスを設定するか否かを前記変化率から判定する工程とを、コンピュータが実行することを特徴とするネットワーク管理方法。
【発明の詳細な説明】
【技術分野】
【０００１】
本件は、ネットワーク管理装置、ネットワーク管理プログラム、及びネットワーク管理方法に関する。
【背景技術】
【０００２】
波長の相違する複数の光信号を波長多重して伝送する伝送装置として、例えばＲＯＡＤＭ（Reconfigurable Optical Add and Drop Multiplexer）が知られている。この種の伝送装置を含むネットワークのパス設定では、伝送装置や伝送路の伝送特性をもとに、光信号のパス上の伝送装置内や伝送路内で生ずる光信号の減衰、雑音、及び波形歪みなどの蓄積値を算出することにより光信号の伝送品質が推定される。そして、推定された伝送品質と要求された伝送品質の比較結果から光信号の正常な伝送が可能と判断されたパスがネットワークに設定される。
【０００３】
このようなパスの伝送性能の見積もり及び伝送可否判定を行うため、ネットワーク管理装置は、伝送路または伝送装置内の光信号の伝送特性に関する各種のデータが登録された伝送特性データベースを備える。光信号の伝送特性は、波長多重される光信号同士の波長やパワーの組み合わせに応じて変化するため、伝送特性データベースには、ネットワーク設計において想定される所定の組み合わせの伝送特性のみについてデータが登録されている。
【０００４】
伝送特性に関し、例えば特許文献１には、各波長の光信号の伝送特性のばらつきを抑えるため、波長多重光信号の受信側で測定されたビットエラーレートなどに応じて送信側の設定をフィードバック制御する点が記載されている。
【先行技術文献】
【特許文献】
【０００５】
【特許文献１】特開２００２−５７６２４号公報
【発明の概要】
【発明が解決しようとする課題】
【０００６】
伝送路及び伝送装置の伝送特性には個体のばらつきが存在するため、上記の伝送特性データベースには、ばらつきに応じたマージンを含むデータが格納されている。また、ネットワーク内にベンダ（製造者）の異なる伝送装置が混在する場合、ネットワーク管理装置を提供しているベンダの伝送装置については伝送特性が既知であるが、その他のベンダの伝送装置の伝送特性が不明であることが考えられ、その伝送装置については伝送特性データベースにデータを登録しておくことができない。さらに、上述したように、伝送特性データベースには、ネットワーク設計において想定される所定の組み合わせの伝送特性のみについてのデータしか登録されていない。
【０００７】
このように、伝送特性データベースを用いたネットワーク管理には様々な制約があり、パス設定の判断を高精度に行うことが困難であるため、ネットワークの能力を有効に使うようなパス設計ができない。
【０００８】
そこで本件は、ネットワークに設定済みのパスのデータベースを用いて、新規に設定するパス設定の判断を高精度に行うことができるネットワーク管理装置、ネットワーク管理プログラム、及びネットワーク管理方法を提供することを目的とする。
【課題を解決するための手段】
【０００９】
１つの態様では、ネットワーク管理装置は、第１パスの光信号のパワーに対する伝送品質の変化率を記憶する記憶部と、前記第１パスの経路の少なくとも一部と重なるように他の光信号の第２パスを設定するか否かを前記変化率から判定する設定処理部とを有する。
【００１０】
１つの態様では、ネットワーク管理プログラムは、第１パスの光信号のパワーに対する前記伝送品質の変化率を記憶し、前記第１パスの経路の少なくとも一部と重なるように他の光信号の第２パスを設定するか否かを前記変化率から判定する、処理をコンピュータに実行させるプログラムである。
【００１１】
１つの態様では、ネットワーク管理方法は、第１パスの光信号のパワーに対する前記伝送品質の変化率を記憶する工程と、前記第１パスの経路の少なくとも一部と重なるように他の光信号の第２パスを設定するか否かを前記変化率から判定する工程とを、コンピュータが実行する方法である。
【発明の効果】
【００１２】
１つの側面として、ネットワークに設定済みのパスのデータベースを用いて、新規に設定するパス設定の判断を高精度に行うことができる。
【図面の簡単な説明】
【００１３】
【図１】ネットワークシステムの一例を示す構成図である。
【図２】ＲＯＡＤＭの一例を示す構成図である。
【図３】トランスポンダの一例を示す構成図である。
【図４】光信号のパワー及び伝送品質の関係を示す図である。
【図５】波長多重する信号数の増減による伝送品質の変化の一例を示す図である。
【図６】伝送距離による伝送品質の変化を示す図である。
【図７】光信号の品質余裕の一例を示す図である。
【図８】補誤差関数及び補誤差関数の逆関数の各グラフである。
【図９】品質余裕が大きい光信号に他の光信号を波長多重した場合の伝送品質の変化の一例を示す図である。
【図１０】品質余裕が小さい光信号に他の光信号を波長多重した場合の伝送品質の変化の一例を示す図である。
【図１１】Ｑ値の変化率の一例を示す図である。
【図１２】光ネットワーク制御装置の一例を示す図である。
【図１３】ネットワーク構成データベース及びパスデータベースの一例を示す図である。
【図１４】光ネットワーク制御装置の動作の一例を示すフローチャートである。
【図１５】新規パスの経路計算処理の一例を示すフローチャートである。
【図１６】既存パスのパワー調整処理の一例を示すフローチャートである。
【図１７】２本のパスが設定されたネットワークの一例を示す図である。
【図１８】２本のパスが登録されたパスデータベースの一例を示す図である。
【図１９】３本のパスが設定されたネットワークの一例を示す図である。
【図２０】３本のパスが登録されたパスデータベースの一例を示す図である。
【図２１】４本のパスが設定されたネットワークの一例を示す図である。
【図２２】４本のパスが登録されたパスデータベースの一例を示す図である。
【発明を実施するための形態】
【００１４】
図１は、ネットワークシステムの一例を示す構成図である。ネットワークシステムは、光ネットワーク制御装置１と、複数のノード＃１〜＃６を含むネットワークＮＷとを有する。ノード＃１〜＃６には、伝送装置の一例であるＲＯＡＤＭ（＃１〜＃６）２がそれぞれ設けられている。各ＲＯＡＤＭ（＃１〜＃６）２には、１以上のトランスポンダ（ＴＲＰＮ）３が接続されている。
【００１５】
互いに隣接するノード＃１〜＃６の間はリンクＬにより接続されている。より具体的には、隣接するＲＯＡＤＭ２同士は、伝送路である光ファイバにより接続されている。
【００１６】
ＲＯＡＤＭ２は、波長の異なる複数の光信号を波長多重して、波長多重光信号として伝送する。ＲＯＡＤＭ２は、光ネットワーク制御装置１からの設定に基づいて、トランスポンダ３から入力された光信号を波長多重光信号に波長多重し、波長多重光信号から所定の波長の光信号を分離してトランスポンダ３に出力する。すなわち、ＲＯＡＤＭ２は、他のネットワークから光信号を挿入し、また、光信号を他のネットワークへ分岐する。
【００１７】
光ネットワーク制御装置１は、ネットワーク管理装置の一例であり、ネットワークＮＷに対し各種の制御を行うことにより光信号のパスＲａを設定する。光信号のパスＲａは、一例として、ノード＃３，＃６を始点及び終点とし、ノード＃３〜＃６のＲＯＡＤＭ２を経由するように設けられている。これにより、光信号は、例えば、ノード＃３のトランスポンダ３から送信されてノード＃６のトランスポンダ３において受信される。すなわち、トランスポンダ３は、光信号の送信装置または受信装置として機能する。
【００１８】
また、光ネットワーク制御装置１は、パスＲａの光信号の伝送品質が目標値となるように、パスＲａの経路上のＲＯＡＤＭ２に対し光信号のパワーを制御する。
【００１９】
図２は、ＲＯＡＤＭ２の一例を示す構成図である。ＲＯＡＤＭ２は、ノード制御部２０、光スイッチ２１、光減衰器２２、合波部（ＭＵＸ）２３、分波部（ＤＥＭＵＸ）２４，２７、ポストアンプ２５、プリアンプ２６、光パワーモニタ部２８、及び光分岐部２９を有する。
【００２０】
プリアンプ２６は、例えばエルビウムドープファイバなどから構成され、隣接ノードのＲＯＡＤＭ２から入力された波長多重光信号を増幅して分波部２４に出力する。プリアンプ２６の増幅率はノード制御部２０により制御される。分波部２４は、例えばアレイ導波路グレーティング（AWG: Arrayed-Wavelength Grating）などから構成され、波長多重光信号を波長ごとの光信号に分離して光スイッチ２１に出力する。
【００２１】
光スイッチ２１は、例えばＷＳＳ（Wavelength Selective Switch）などから構成され、ノード制御部２０からの設定に従って、波長ごとの光信号を特定の出力ポートから出力する。光スイッチ２１は、ノード制御部２０から分岐設定された波長の光信号を分波部２４からトランスポンダ３に出力し、ノード制御部２０から挿入設定された波長の光信号をトランスポンダ３から光減衰器２２に出力する。また、光スイッチ２１は、ノード制御部２０から通過設定された波長の光信号を分波部２４から光減衰器２２に出力する。
【００２２】
光減衰器２２は、光スイッチ２１から入力された光信号を波長ごとに減衰させて合波部２３に出力する。光減衰器２２の減衰率はノード制御部２０により波長単位で制御される。合波部２３は、例えば光カプラなどから構成され、光減衰器２２から入力された各波長の光信号を合波してポストアンプ２５に出力する。
【００２３】
ポストアンプ２５は、例えばエルビウムドープファイバなどから構成され、合波部２３から入力された波長多重光信号を増幅して光分岐部２９に出力する。ポストアンプ２５の増幅率はノード制御部２０により制御される。
【００２４】
光分岐部２９は、例えば光スプリッタなどから構成され、ポストアンプ２５から入力された波長多重光信号を隣接ノードのＲＯＡＤＭ２及び分波部２７に分岐する。分波部２７は、例えばアレイ導波路グレーティングなどから構成され、波長多重光信号を波長ごとの光信号に分離して光パワーモニタ部２８に出力する。
【００２５】
光パワーモニタ部２８は、例えばフォトダイオードなどから構成され、分波部２７から入力された波長ごとの光信号のパワー（dBm）を測定する。光パワーモニタ部２８は、各波長の光信号のパワーをノード制御部２０に通知する。
【００２６】
ノード制御部２０は、例えばＣＰＵ（Central Processing Unit）回路などから構成され、ＲＯＡＤＭ２の動作を制御する。例えば、ノード制御部２０は、光ネットワーク制御装置１からのパス設定の指示に従い光スイッチ２１を設定する。
【００２７】
ノード制御部２０は、例えば、光ネットワーク制御装置１から当該ノードを波長λａの光信号のパスＲａの始点とする指示を受けた場合、光スイッチ２１に対し波長λａの挿入設定を行う。これにより、光スイッチ２１は、トランスポンダ３から入力された波長λａの光信号を隣接ノードのＲＯＡＤＭ２に導く。
【００２８】
また、ノード制御部２０は、例えば、光ネットワーク制御装置１から当該ノードを波長λａの光信号のパスＲａの中継点とする指示を受けた場合、光スイッチ２１に対し波長λａの通過設定を行う。これにより、光スイッチ２１は、一方の隣接ノードのＲＯＡＤＭ２から入力された波長λａの光信号を他方の隣接ノードのＲＯＡＤＭ２に導く。
【００２９】
また、ノード制御部２０は、例えば、光ネットワーク制御装置１から当該ノードを波長λａの光信号のパスＲａの終点とする指示を受けた場合、光スイッチ２１に対し波長λａの分岐設定を行う。これにより、光スイッチ２１は、隣接ノードのＲＯＡＤＭ２から入力された波長λａの光信号をトランスポンダ３に導く。
【００３０】
このように、ノード制御部２０は、光ネットワーク制御装置１の指示に従い、任意の波長λａの光信号のパスＲａを設定することができる。
【００３１】
また、ノード制御部２０は、光ネットワーク制御装置１からの指示に従い、設定済みのパスＲａの光信号のパワーを制御する。より具体的には、ノード制御部２０は、プリアンプ２６及びポストアンプ２５の各増幅率と光減衰器２２の減衰率を制御する。このとき、ノード制御部２０は、光パワーモニタ部２８からパスＲａの光信号のパワーを取得することによりフィードバック制御を行う。
【００３２】
このように、ＲＯＡＤＭ２は、光ネットワーク制御装置１からの指示に従い、各波長の光信号のパスと各パスの光信号のパワー（光レベル）を設定する。
【００３３】
図３は、トランスポンダ３の一例を示す構成図である。トランスポンダ３は、ＲＯＡＤＭ２に接続され、挿入対象の波長の光信号をＲＯＡＤＭ２に送信し、分岐対象の波長の光信号をＲＯＡＤＭ２から受信する。
【００３４】
トランスポンダ３は、トランスポンダ制御部３０と、クライアント信号インターフェース部３１と、波長可変レーザ装置３２と、光変調器３３と、信号再生回路３４と、光受信器３５とを有する。
【００３５】
クライアント信号インターフェース部３１は、例えば、光送受信器やＦＰＧＡ（Field Programmable Gate Array）やＡＳＩＣ（Application Specific Integrated Circuit）などの回路から構成され、他のネットワークとクライアント信号を送受信する。クライアント信号としては、例えば、イーサネット（登録商標、以下同様）信号が挙げられるが、これに限定されない。クライアント信号インターフェース部３１は、信号再生回路３４から入力されたクライアント信号を他のネットワークに送信し、また、他のネットワークから受信したクライアント信号を光変調器３３に出力する。
【００３６】
波長可変レーザ装置３２は、光源や波長フィルタなどから構成され、トランスポンダ制御部３０から指示された波長の光を光変調器３３に出力する。光変調器３３は、例えばマッハツェンダ変調器であり、波長可変レーザ装置３２から入力された波長光を、クライアント信号インターフェース部３１から入力されたクライアント信号のデータで光変調する。光変調器３３は、光変調により得られた光信号をＲＯＡＤＭ２に送信する。
【００３７】
光受信器３５は、例えばフォトダイオードなどから構成され、ＲＯＡＤＭ２から光信号を受信する。光受信器３５は、受信した光信号を電気信号に光電変換して信号再生回路３４に出力する。
【００３８】
信号再生回路３４は、例えばＦＰＧＡやＡＳＩＣなどの回路から構成され、光受信器３５から入力された電気信号からクライアント信号を再生する。信号再生回路３４は、電気信号を受信したとき、例えば電気信号に含まれる誤り訂正符号（例えばＦＥＣ（Forward Error Correction））に基づき光信号のビットエラーレートを算出する。信号再生回路３４は、再生したクライアント信号をクライアント信号インターフェース部３１に出力する。
【００３９】
トランスポンダ制御部３０は、例えばＣＰＵ回路などから構成され、トランスポンダ３の動作を制御する。トランスポンダ制御部３０は、ＲＯＡＤＭ２のノード制御部２０からの指示に従い、所定の波長の光信号が所定のパワーでＲＯＡＤＭ２との間で送受信されるようにクライアント信号インターフェース部３１、波長可変レーザ装置３２、及び光変調器３３を制御する。ノード制御部２０は、光ネットワーク制御装置１からの指示に従い、光信号の波長及びパスの設定をトランスポンダ制御部３０に指示する。
【００４０】
また、トランスポンダ制御部３０は、ノード制御部２０からの要求に応じて、信号再生回路３４からビットエラーレートを取得してノード制御部２０に送信する。ノード制御部２０は、光ネットワーク制御装置１からの指示に従い、トランスポンダ制御部３０から光信号のビットエラーレートを取得して光ネットワーク制御装置１に送信する。
【００４１】
このように、トランスポンダ３は、光ネットワーク制御装置１からの指示に従い、光信号の波長及びパワー（光レベル）を設定し、また、光信号のエラーレートを計測して光ネットワーク制御装置１に通知する。
【００４２】
図１に示されるネットワークＮＷにおいて、各光信号は、上述したように、波長の異なる他の光信号と波長多重されて波長多重光信号として伝送される。このため、光信号の伝送品質は、波長多重される他の光信号の影響を受けて変化する。以下に光信号の伝送特性について述べる。
【００４３】
図４は、光信号のパワー及び伝送品質の関係を示す図である。図４において、横軸は光信号のパワー（dBm）を示し、縦軸は光信号の伝送品質を示す。ここで、伝送品質の指標値としては、一例としてＱ値が用いられる。Ｑ値は、後述するように、エラーレートから誤差関数を用いて算出される。
【００４４】
伝送品質は、図４に示すように、パワーに対してｐを頂点とする上に凸なグラフとなる。より具体的には、伝送品質は、パワーが頂点ｐの値より小さい領域Ｘ１において、パワーが増加するほど高くなる。これは、パワーが大きいほど、光信号対雑音比（OSNR: Optical Signal-to-Noise Ratio）が大きくなるためである。
【００４５】
また、伝送品質は、パワーが頂点ｐの値より大きい領域Ｘ２において、パワーが増加するほど低くなる。これは、パワーが頂点ｐを超える値になると、伝送中の非線形光学効果による光信号の位相歪みが大きくなるためである。
【００４６】
このように、光信号の伝送品質は、パワーが頂点ｐを超えると低下するため、光ネットワーク制御装置１は、光信号のパワーを、頂点ｐを超えない領域Ｘ１内で制御する。
【００４７】
図５は、波長多重する信号数の増減による伝送品質の変化の一例を示す図である。図５において、図４と共通する事項の説明は省略する。
【００４８】
光信号に波長多重される他の光信号が増えたり、あるいは波長多重される他の光信号の数が同じでも、波長多重される光信号のパワーが増えたりすると、光信号の伝送特性は、他の光信号から非線形光学効果の影響を受けて劣化する。このため、伝送品質は、パワーが小さい領域内（図４の符号Ｘ１参照）であっても、他の光信号の影響により低下する。
【００４９】
図６は、伝送距離による伝送品質の変化を示す図である。図６において、図４と共通する事項の説明は省略する。符号Ｇ１は、伝送距離が短い光信号の伝送特性を示し、符号Ｇ２は、伝送距離が短い光信号の伝送特性を示す。
【００５０】
光信号の伝送特性は、伝送距離が長いほど、非線形光学効果の影響が大きくなるため、劣化する。このため、伝送距離の相違する２つの光信号が波長多重された場合、各光信号の伝送品質を同一の目標値に制御するとき、各光信号のパワーＰ１，Ｐ２は相違する。より具体的には、伝送距離が長い光信号のパワーＰ２は、伝送距離が短い光信号のパワーＰ１より大きくなる。
【００５１】
例えば、光ネットワーク制御装置１が、従来のように光信号の伝送特性データベースに基づいて光信号のパワーを制御すると仮定する。この場合、伝送特性データベースはパワーＰ１の光信号とパワーＰ２の光信号が波長多重されて伝送された場合の伝送特性を予め保持している必要がある。しかし、パワーＰ１とパワーＰ２の組み合わせは無限に想定することができるため、伝送特性データベースが無限に大きくなってしまうおそれがある。このため、伝送特性データベースには、例えば各光信号のパワーが同一であると想定して算出されたデータのみが登録されている。
【００５２】
したがって、従来の光ネットワーク制御装置１は、パワーＰ１とパワーＰ２が同じである場合についてしかパス設計を行うことができない。したがって、伝送距離は短い光信号のパワーＰ１と伝送距離が長い光信号のパワーＰ２を同一に設定する。その結果、伝送距離が短い光信号のパワーＰ１が過剰に大きくなり、伝送距離が長い光信号に対する非線形光学効果の影響が、パワーＰ１を適正な値に制御した場合より大きくなり、伝送距離が長い光信号の伝送品質が悪くなってしまう場合がある。
【００５３】
このように、従来の伝送特性データベースを用いたパス管理では光信号ごとに異なるパワーを設定して光信号の伝送品質を等化するような運用を行うことができないため、伝送品質を等化した場合に比べると、光信号の伝送品質が悪化して所望の伝送品質が得られないおそれがある。
【００５４】
そこで、実施例の光ネットワーク制御装置１は、既存パスの光信号の伝送品質が目標値であるときのその光信号のパワーに対する伝送品質の変化率を記憶しておき、既存パスの少なくとも一部と重なるように他の光信号のパスを設定するか否かを変化率から判定する。このため、光ネットワーク制御装置１は、光信号のパワーに対する伝送品質の変化率から、その光信号に他の光信号を波長多重した場合、現在の伝送品質に十分な余裕があるかを判定することができるので、パス設定の判断を高精度に行うことができる。この判定手段について以下に説明する。
【００５５】
図７は、光信号の品質余裕の一例を示す図である。図７において、図４と共通する事項の説明は省略する。光ネットワーク制御装置１は、パスの光信号の伝送品質の一例として、Ｑ値を測定する。光ネットワーク制御装置１は、パスの終点ノードのトランスポンダ３からビットエラーレートを取得し、ビットエラーレートからＱ値を算出する。
【００５６】
【数１】
2018082344.tif 000003
【００５７】
より具体的には、光ネットワーク制御装置１は、例えば上記の式（１）からＱ値を算出する。式（１）において、変数ＢＥＲはビットエラーレートを表す。また、関数ｅｒｆｃ−１は補誤差関数ｅｒｆｃの逆関数である。
【００５８】
【数２】
2018082344.tif 000004
【００５９】
補誤差関数ｅｒｆｃは、例えば、変数ｘにより上記の式（２）により表される。
【００６０】
図８は、補誤差関数ｅｒｆｃ（ｘ）及び補誤差関数の逆関数ｅｒｆｃ−１（ｘ）の各グラフである。図８において、各グラフの横軸は変数ｘを示す。光ネットワーク制御装置１は、補誤差関数ｅｒｆｃの逆関数を利用してビットエラーレートＢＥＲから統計的にＱ値を算出する。
【００６１】
再び図７を参照すると、光ネットワーク制御装置１は、光信号のＱ値が、要求される所定の目標値となるように光信号のパワーを制御する。このとき、Ｑ値の目標値と光信号の伝送特性上の伝送品質のピーク値（符号ｐ参照）との差分は、他の光信号が波長多重されたときにおけるパワー調整による伝送品質の改善可能な範囲を示す「品質余裕」として定義される。また、Ｑ値の目標値は、例えば、光信号が満たすべきビットエラーレートに、経年劣化を考慮して決定されたマージンを加えた値となる。
【００６２】
光ネットワーク制御装置１は、品質余裕が大きい光信号のパスには、他の光信号のパスが重なるようにパス設定を行うが、品質余裕が小さい光信号のパスには、他の光信号のパスが重ならないようにパス設定を行う。
【００６３】
図９は、品質余裕が大きい光信号に他の光信号を波長多重した場合の伝送品質の変化の一例を示す図である。図９において、図７と共通する事項の説明は省略する。符号Ｇ３は、他の光信号を波長多重する前の光信号の伝送特性を示し、符号Ｇ４は、他の光信号を波長多重した後の光信号の伝送特性を示す。
【００６４】
光信号のパワーは、他の光信号が波長多重（追加）される前、目標値に応じた所定値Ｐ３に制御されている。しかし、他の光信号が波長多重された後、光信号の伝送特性は、上述したように低下するため、Ｑ値のピーク値は符号ｐの示す値から符号ｐ’の示す値に低下する。
【００６５】
しかし、品質余裕が大きいため、低下後のピーク値は、低下前のピーク値と同様に、Ｑ値の目標値を上回る。したがって、光ネットワーク制御装置１は、光信号のパワーをＰ３からＰ４に増加させることにより、目標値からいったん低下したＱ値を再び目標値に戻すことができる。つまり、品質余裕が大きい光信号は、他の光信号が波長多重されても目標値の維持が可能である。なお、このように各光信号のパワーを、同一の目標値に応じて制御することを伝送品質の「等化」と表記する。
【００６６】
図１０は、品質余裕が小さい光信号に他の光信号を波長多重した場合の伝送品質の変化の一例を示す図である。図１０において、図７と共通する事項の説明は省略する。符号Ｇ５は、他の光信号を波長多重する前の光信号の伝送特性を示し、符号Ｇ６は、他の光信号を波長多重した後の光信号の伝送特性を示す。
【００６７】
光信号のパワーは、他の光信号が波長多重（追加）される前、目標値に応じた所定値Ｐ５に制御されている。しかし、他の光信号が波長多重された後、光信号の伝送特性は、上述したように低下するため、伝送品質のピーク値は符号ｐの示す値から符号ｐ’の示す値に低下する。
【００６８】
本例において、品質余裕は上記の例より小さいため、低下後のピーク値は、低下前のピーク値とは異なり、目標値を下回る。したがって、仮に光信号のパワーがＰ５から増加させても、Ｑ値は目標値に達することができない。つまり、品質余裕が小さい光信号は、他の光信号が波長多重されると目標値の維持が不可能である。
【００６９】
このため、光ネットワーク制御装置１は、パス設定を行う場合、ネットワークＮＷ内の既存パスの品質余裕に基づき、その既存パスに新規パスを重ねるように設定できるか否かを判定する。光ネットワーク制御装置１は、その判定の結果、既存パスに新規パスを重ねて設定することが不可能である場合、その既存パスとは経路が重ならないように新規パスを設定する。
【００７０】
しかし、光ネットワーク制御装置１は、品質余裕を測定するためには、光信号のパワーを、その伝送特性における頂点ｐを超える領域（図４の領域Ｘ２参照）まで増加させることになる。この場合、光信号のパワーを増加させたパス以外の既存パスの光信号に対する非線形光学効果の影響が増加するため、その既存パスの光信号のＱ値は、品質余裕の測定中、低下してしまう。この場合、既存パス上の通信に影響が生ずる。したがって、品質余裕は運用中の光ネットワークにおいて直接的に測定することができない。
【００７１】
このため、光ネットワーク制御装置１は、品質余裕を測定する代わりに、Ｑ値が目標値であるときのパワーに対するＱ値の変化率を算出する。光信号の伝送特性において、Ｑ値はパワーに対して上に凸なグラフとなるため、Ｑ値が頂点ｐの値に近いほど、Ｑ値の変化率は減少し、Ｑ値が頂点ｐの値から遠いほど、Ｑ値の変化率は増加する。このため、品質余裕が小さいほど、Ｑ値の変化率は小さくなり、品質余裕が大きいほど、Ｑ値の変化率は大きくなる。以下に、Ｑ値の変化率の算出方法について述べる。
【００７２】
図１１は、Ｑ値の変化率の一例を示す図である。図１１において、図７と共通する事項の説明は省略する。光ネットワーク制御装置１は、光信号の伝送品質の等化に過程において、Ｑ値の変化率を算出する。光ネットワーク制御装置１は、等化により伝送品質を必ずしも目標値に一致させるわけではなく、所定の刻み幅でパワーを増加させ、Ｑ値が目標値を超えた時点で等化を完了する。
【００７３】
本例において、光信号のＱ値は、パワーが所定値Ｐｉから所定値Ｐｊ（＞Ｐｉ）に増加したときに目標値を超えると仮定する。このとき、パワーＰｉに応じたＱ値をＱｉとし、パワーＰｊに応じたＱ値をＱｊとする。このとき、Ｑ値に関し、Ｑｉ＜目標値＜Ｑｊが成立する。
【００７４】
Ｑ値の変化率＝（Ｑｊ−Ｑｉ）／（Ｐｊ−Ｐｉ）                  ・・・（３）
【００７５】
光ネットワーク制御装置１は、例えば、上記の式（３）によりＱ値の変化率を算出する。ここで、Ｐｊ−Ｐｉは、パワーの制御における刻み幅に相当し、例えば、ＲＯＡＤＭ２の光減衰器２２などの減衰率の分解能などに応じて決定される。
【００７６】
このように算出されたＱ値の変化率は、伝送特性のグラフにおいて、Ｑ値＝目標値となる点Ｐｏを通る接線ＬＮの傾きに該当する。以下の説明では、Ｑ値の変化率を「Ｑ値の傾き」と表記する。
【００７７】
光ネットワーク制御装置１は、伝送品質の等化によりＱ値の傾きを算出してメモリなどに記憶しておき、新規パスを設定する場合、既存パスのＱ値の傾きに基づいて、その既存パスに新規パスを重ねて設定可能か否かを判定する。以下に光ネットワーク制御装置１の構成を述べる。
【００７８】
図１２は、光ネットワーク制御装置１の一例を示す構成図である。光ネットワーク制御装置１は、ＣＰＵ１０、ＲＯＭ１１、ＲＡＭ１２、ＨＤＤ１３、通信ポート１４、入力装置１５、及び出力装置１６を有する。ＣＰＵ１０は、互いに信号の入出力ができるように、ＲＯＭ１１、ＲＡＭ１２、ＨＤＤ１３、通信ポート１４、入力装置１５、及び出力装置１６と、バス１９を介して接続されている。なお、ＣＰＵ１０はコンピュータの一例である。
【００７９】
ＲＯＭ１１は、ＣＰＵ１０を駆動するプログラムが格納されている。このプログラムには、ＯＳ（Operating System）と、実施例のネットワーク管理方法を実行するネットワーク管理プログラムが含まれている。ＲＡＭ１２は、ＣＰＵ１０のワーキングメモリとして機能する。通信ポート１４は、例えば無線ＬＡＮ（Local Area Network）カードやＮＩＣ（Network Interface Card）であり、ＲＯＡＤＭ２及びトランスポンダ３と通信する。
【００８０】
入力装置１５は、制御サーバ１に情報を入力する装置である。入力装置１５としては、例えばキーボード、マウス、及びタッチパネルなどが挙げられる。入力装置１５は、入力された情報を、バス１９を介しＣＰＵ１０に出力する。
【００８１】
出力装置１６は、制御サーバ１の情報を出力する装置である。出力装置１６としては、例えばディスプレイ、タッチパネル、及びプリンタなどが挙げられる。出力装置１６は、ＣＰＵ１０からバス１９を介して情報を取得して出力する。
【００８２】
ＣＰＵ１０は、コンピュータの一例であり、ＲＯＭ１１からプログラムを読み込むと、機能として、ネットワーク制御部１００、パス設定処理部１０１、パワー制御部１０２、及び伝送品質測定部１０３が形成される。また、ＨＤＤ１３には、ネットワーク構成データベース（ＤＢ）１３０及びパスデータベース（ＤＢ）１３１が格納されている。
【００８３】
ネットワーク構成ＤＢ１３０には、ネットワークＮＷの構成に関する情報が登録されている。また、パスＤＢ１３１には、既存パスに関する情報が登録されている。
【００８４】
図１３は、ネットワーク構成ＤＢ１３０及びパスＤＢ１３１の一例を示す図である。ネットワーク構成ＤＢ１３０には、リンクＩＤ、接続ノードＩＤ、及び使用可否情報が登録されている。
【００８５】
リンクＩＤはネットワークＮＷ内の各リンクＬの識別子（＃１，＃２，・・・）である。接続ノードＩＤは、リンクＩＤが示すリンクＬが接続する一対のノード＃１〜＃６の識別子である。例えば、ノード＃２とノード＃３の間を接続するリンクＬの場合、接続ノードＩＤは＃２,＃３となる。
【００８６】
「使用可否」情報は、その該当するリンクＬをパスの一部として使用することの可否を示す。「使用可否」情報は、初期状態において「可」に設定されており、伝送品質の等化においてＱ値が目標値に達しなかった場合に「不可」に設定される。
【００８７】
パスＤＢ１３１には、パスＩＤ、通過ノードＩＤ、パワー、Ｑ値の傾き、パワーの予備値（「予備」参照）、及びＱ値の傾きの予備値（「予備」参照）が登録されている。パスＩＤは、既存パスの識別子（本例では図１のパスＲａを示す。）であり、通過ノードＩＤは、その既存パスが経由するノードの識別子である。例えば、パスＲａがノード＃３〜＃６を経由する場合、通過ノードＩＤには＃３〜＃６が登録される。
【００８８】
パワーは、伝送品質の等化が完了したときのパワーの値を示す。また、Ｑ値の傾きは、伝送品質の等化が完了したときのＱ値の傾きの値を示す。パワー及びＱ値の傾きの予備値は、伝送品質の等化処理においてパワー及びＱ値の傾きを変更した結果、新規パスが設定できなかった場合に備えて、パワー及びＱ値の傾きの変更前の値を保持するために用いられる。
【００８９】
このように、ＨＤＤ１３は、記憶部の一例として、パスごとのＱ値の傾きを記憶する。なお、記憶部としては、ＨＤＤ１３に限定されず、メモリが用いられてもよい。
【００９０】
再び図１２を参照すると、ネットワーク制御部１００は、光ネットワーク制御装置１の動作を制御し、パス設定処理部１０１、パワー制御部１０２、及び伝送品質測定部１０３に動作を指示する。
【００９１】
パス設定処理部１０１は、ネットワーク制御部１００からの指示に従い、ネットワークＮＷ内にパスを設定する。ネットワーク制御部１００は、入力装置１５から、例えばパスの始点ノード、終点ノード、波長、及び帯域などの情報が入力され、その情報からパス設定処理部１０１に対する指示情報を生成して出力する。
【００９２】
パス設定処理部１０１は、一例として、最短距離法によりパスの経路計算を行う。このとき、パス設定処理部１０１は、リンクごとのメトリック、つまりホップ数などの距離に基づいてリンクを選択することにより経路計算を行う。パス設定処理部１０１は、経路計算時、各リンクのメトリックを、リンク長に基づき設定する。なお、メトリックは、パス設定時の選択の優先度である。
【００９３】
パス設定処理部１０１は、メトリックをリンク長に設定した後、パスＤＢ１３１から既存パスのＱ値の傾きを取得し、Ｑ値の傾きが所定の閾値ＴＨ以下である既存パスを検出する。パス設定処理部１０１は、検出した既存パスに含まれる各リンクのメトリックを他のリンクより大きい値に設定する。このため、検出した既存パスに含まれる各リンクのパス設定時の選択の優先度は他のリンクより低い値に設定される。
【００９４】
これにより、パス設定処理部１０１は、Ｑ値の傾きが所定の閾値ＴＨ以下である既存パスを、新規パスの経路計算に用いないようにする。すなわち、パス設定処理部１０１は、設定処理部の一例として、既存パスのＱ値の傾きが所定の閾値ＴＨ以下である場合、その既存パスに含まれる１以上のリンクに対し、メトリックを他のリンクより大きく設定することにより、その既存パスと重ならないように新規パスを設定する。
【００９５】
このため、パス設定処理部１０１は、品質余裕が小さい光信号のパスに重ならないように新規パスを設定することができるため、既存パスのＱ値を目標値に維持するとともに新規パスを設定することができる。なお、既存パスは第１パスの一例であり、新規パスは第２パスの一例である。
【００９６】
このように、パス設定処理部１０１は、既存パスの経路の少なくとも一部と重なるように新規パスを設定するか否かをＱ値の傾きから判定する。より具体的には、パス設定処理部１０１は、ＨＤＤ１３に記憶された各既存パスのＱ値の傾きと所定の閾値ＴＨを比較することにより、既存パスに新規パスを重ねて設定することの可否を判定する。
【００９７】
各パスのＱ値の傾きは、上述したように、そのパスの品質余裕の大きさの指標値となる。このため、光ネットワーク制御装置１は、Ｑ値の傾きを測定することにより、ＲＯＡＤＭ２及びトランスポンダ３の伝送特性のばらつき及びベンダの相違がある場合でも、パスの光信号の伝送特性を、その光信号と波長多重された他の光信号に応じて高精度に検出することができる。したがって、パス設定処理部１０１は、Ｑ値の傾きに基づきパス設計の判断を高精度に行うことができる。これにより、例えば伝送品質の等化が容易なパスを選択して、伝送品質の等化を効率的に行うことが可能となり、光ネットワークの全体で所望の伝送品質を得ることができるパスを増加させることができる。
【００９８】
パス設定処理部１０１は、上記の判定の結果に従いネットワークＮＷに対し新規パスを設定する。このため、パス設定処理部１０１は、既存パスの光信号のＱ値の傾きに応じて適切に新規パスを設定することができる。
【００９９】
また、パワー制御部１０２は、ネットワーク制御部１００からの指示に従い、ネットワークＮＷ内の各パスの光信号のパワーを制御する。ネットワーク制御部１００は、伝送品質の等化において、所定の刻み幅ごとにパワーを増加させるようにパワー制御部１０２に指示する。パワー制御部１０２は、通信ポート１４を介してＲＯＡＤＭ２のノード制御部２０及びトランスポンダ３のトランスポンダ制御部３０と通信することにより、パスに含まれる各リンクにおける光信号のパワーを制御する。
【０１００】
また、伝送品質測定部１０３は、ネットワーク制御部１００からの指示に従い、各パスの光信号のＱ値を測定する。ネットワーク制御部１００は、伝送品質の等化において、光信号のパワーを増加させるたびに伝送品質測定部１０３に測定を指示する。パワー制御部１０２は、通信ポート１４を介して各パスの終端ノードのトランスポンダ３のトランスポンダ制御部３０と通信することにより、ビットエラーレートの通知を受信し、ビットエラーレートから上記の式（１）によりＱ値を算出する。なお、パワー制御部１０２は制御部の一例であり、伝送品質測定部１０３は測定部の一例である。
【０１０１】
ネットワーク制御部１００は、伝送品質の等化において、伝送品質測定部１０３が測定したＱ値に基づき、上記の式（３）からＱ値の傾きを算出する。より具体的には、ネットワーク制御部１００は、パワー制御部１０２が光信号のパワーを増加させたとき、その増加前後のパワーＰｉ，Ｐｊと各パワーＰｉ，Ｐｊに応じたＱ値Ｑｉ，Ｑｊを記憶しておき、式（３）からＱ値の傾きを算出する。
【０１０２】
パワー制御部１０２は、新規パスの光信号のパワーを増加させた場合、伝送品質測定部１０３により測定された既存パスの光信号のＱ値が目標値を下回ったとき、その既存パスの光信号のパワーを増加させる。より具体的には、パワー制御部１０２は、伝送品質の等化において、図９を参照して述べたように、新規パスの追加により伝送特性が低下した既存パスの光信号のパワーを、Ｑ値の目標値に応じて増加させる。これにより、既存パスの光信号のＱ値が目標値に維持される。
【０１０３】
また、パワー制御部１０２は、既存パスの光信号のパワーを増加させた場合、伝送品質測定部１０３により測定された他の既存パスの光信号のＱ値が目標値を下回ったとき、その既存パスの光信号のパワーを増加させる。より具体的には、パワー制御部１０２は、伝送品質の等化において、既存パスの光信号のパワーの増加により伝送特性が低下した他の既存パスの光信号のパワーを、Ｑ値の目標値に応じて増加させる。これにより、他の既存パスの光信号のＱ値が目標値に維持される。
【０１０４】
また、パス設定処理部１０１は、パワー制御部１０２が新規パスの光信号のパワーを増加させた場合、伝送品質測定部１０３により測定された新規パスの光信号のＱ値が低下したとき、新規パスを削除する。より具体的には、ネットワーク制御部１００は、伝送品質の等化において、Ｑ値の目標値に応じて新規パスの光信号のパワーを増加させた場合にＱ値が低下すると、パワーの制御点が頂点ｐを超えて制御不能な領域Ｘ２（図４参照）に達したと判定する。このとき、ネットワーク制御部１００は、パス設定処理部１０１に対し新規パスの削除を要求し、パス設定処理部１０１は、その要求に応じて新規パスを削除する。
【０１０５】
このため、光ネットワーク制御装置１は、Ｑ値の傾きに基づいて、既存パスに重なるように新規パスを設定した場合でも（つまり、Ｑ値の傾き＞ＴＨの場合）、伝送品質の等化において、新規パスのＱ値が目標値に達しないことを検出して新規パスの設定を削除することができる。
【０１０６】
また、ネットワーク制御部１００は、パワー制御部１０２が既存パスの光信号のパワーを増加させた場合、伝送品質測定部１０３により測定された既存パスの光信号のＱ値が目標値に達したとき、ＨＤＤ１３に記憶されたＱ値の傾きを更新する。このため、光ネットワーク制御装置１は、伝送品質の等化が完了した場合、既存パスの光信号の変更後のパワーに応じてＱ値の傾きを更新することにより次の新規パスの設定に備えることができる。なお、ネットワーク制御部１００は更新部の一例である。
【０１０７】
パワー制御部１０２は、複数の既存パスが存在する場合、Ｑ値の傾きの低い順に各既存パスの光信号のパワーを増加させる。このため、光ネットワーク制御装置１は、品質余裕が小さい光信号の既存パスから順にそのＱ値が目標値に達するか否かを判定することができる。したがって、光ネットワーク制御装置１は、Ｑ値が目標値に達することが不可能な既存パスを早期に検出して、新規パスの経路計算の再実行のタイミングを早めることができる。
【０１０８】
図１４は、光ネットワーク制御装置１の動作の一例を示すフローチャートである。本動作は、例えば入力装置１５から新規パスの設定の要求が入力された場合に実行される。
【０１０９】
ネットワーク制御部１００は、パスＤＢ１３１内の各既存パスのパワー及びＱ値の予備値を生成する（ステップＳｔ１）。より具体的には、ネットワーク制御部１００は、パスＤＢ１３１に登録された各既存パスのパワー及びＱ値をパワー及びＱ値の予備値にそれぞれ登録する。これにより、ネットワーク制御部１００は、伝送品質の等化の過程で変更された各既存パスのパワー及びＱ値を、新規パスの設定を削除した場合、パワー及びＱ値の予備値に基づいて元の値に戻すことができる。なお、ネットワーク制御部１００は、パスＤＢ１３１に既存パスが登録されていない場合、本処理を実行しない。
【０１１０】
次に、ネットワーク制御部１００は、ネットワーク構成ＤＢ１３０内の各リンクの「使用可否」情報を「可」（使用可能）に設定する（ステップＳｔ２）。これにより、ネットワーク制御部１００は、全リンクを経路計算に使用可能な状態に初期化する。
【０１１１】
次に、パス設定処理部１０１は、ネットワーク制御部１００の指示に従い、新規パスの経路計算を行う（ステップＳｔ３）。なお、新規パスの経路計算処理については後述する。
【０１１２】
次に、パス設定処理部１０１は、新規パスの経路計算の結果から経路の有無を判定する（ステップＳｔ４）。ネットワーク制御部１００は、経路がない場合（ステップＳｔ４のＮｏ）、処理を終了する。また、パス設定処理部１０１は、経路がある場合（ステップＳｔ４のＹｅｓ）、経路計算の結果に従いネットワークＮＷに新規パスを設定する（ステップＳｔ５）。このとき、パス設定処理部１０１は、新規パスが経由するノード＃１〜＃６のＲＯＡＤＭ２及びトランスポンダ３に所定の波長のパスを設定する。
【０１１３】
次に、パワー制御部１０２は、ネットワーク制御部１００の指示に従い、新規パスの光信号のパワーを最小値に設定する（ステップＳｔ６）。このとき、パワー制御部１０２は、新規パスが経由する各ノード＃１〜＃６のＲＯＡＤＭ２及びトランスポンダ３に対し、新規パスの光信号のパワーが最小値となるように設定する。なお、パワーの最小値は、例えばＲＯＡＤＭ２のプリアンプ２６やトランスポンダ３の波長可変レーザ装置３２の性能などに応じて決定される。
【０１１４】
次に、伝送品質測定部１０３は、ネットワーク制御部１００の指示に従い、新規パスの光信号のＱ値を測定する（ステップＳｔ７）。このとき、伝送品質測定部１０３は、新規パスの終端ノード＃１〜＃６のトランスポンダ３から新規パスの光信号のビットエラーレートを取得して、上記の式（１）からＱ値を算出する。
【０１１５】
次に、パワー制御部１０２は、ネットワーク制御部１００の指示に従い、新規パスの光信号のパワーを１段階だけ増加させる（ステップＳｔ８）。このとき、パワー制御部１０２は、新規パスが経由する各ノード＃１〜＃６のＲＯＡＤＭ２及びトランスポンダ３に対し、新規パスの光信号のパワーが刻み幅分だけ増加するように設定する。
【０１１６】
次に、ネットワーク制御部１００は、ネットワーク構成ＤＢ１３０に基づき、既存パスに含まれる少なくとも一部のリンクＬと新規パスに含まれるリンクＬが重複するか否かを判定する（ステップＳｔ９）。既存パスと新規パスの間にリンクＬの重複がない場合（ステップＳｔ９のＮｏ）、後述するステップＳｔ１２の処理が実行される。
【０１１７】
また、既存パスと新規パスの間にリンクＬの重複がある場合（ステップＳｔ９のＹｅｓ）、伝送品質測定部１０３は、ネットワーク制御部１００の指示に従い、その重複のある既存パスのＱ値を測定する（ステップＳｔ１０）。このとき、伝送品質測定部１０３は、該当する既存パスの終端ノード＃１〜＃６のトランスポンダ３からその既存パスの光信号のビットエラーレートを取得して、上記の式（１）からＱ値を算出する。
【０１１８】
次に、ネットワーク制御部１００は、新規パスとリンクＬが重複する既存パスのうち、ステップＳｔ８におけるパワーの増加によりＱ値が目標値を下回ったパスの有無を判定する（ステップＳｔ１１）。Ｑ値が目標値を下回ったパスがない場合（ステップＳｔ１１のＮｏ）、後述するステップＳｔ１２の処理が実行される。
【０１１９】
また、Ｑ値が目標値を下回ったパスがある場合（ステップＳｔ１１のＹｅｓ）、パワー制御部１０２は、ネットワーク制御部１００の指示に従い、該当する既存パスの光信号について、Ｑ値が目標値となるようにパワーを調整する（ステップＳｔ１７）。すなわち、伝送品質測定部１０３は既存パスの光信号の伝送品質の等化を行う。なお、パワー調整処理については後述する。
【０１２０】
次に、ネットワーク制御部１００は、該当する既存パスの光信号のパワーの調整の成否を判定する（ステップＳｔ１８）。より具体的には、ネットワーク制御部１００は、既存パスの光信号のＱ値を目標値となるようにパワーを調整できた場合、成功と判定し、既存パスの光信号のＱ値を目標値となるようにパワーを調整できなかった場合、失敗と判定する。例えば、品質余裕が大きい既存パスの光信号（図９参照）であれば、パワー調整によりＱ値を目標値とすることができるが、品質余裕が小さい既存パスの光信号（図１０参照）であれば、パワー調整によりＱ値を目標値とすることができない。
【０１２１】
パワー調整が失敗した場合（ステップＳｔ１８のＮｏ）、ネットワーク制御部１００は、その既存パスに含まれる各リンクＬについて、ネットワーク構成ＤＢ１３０内の「使用可否」情報を不可（使用不可）に設定する（ステップＳｔ１９）。このため、そのリンクＬは、再び新規パスの経路計算を行うとき（ステップＳｔ３）に新規パスの一部として使用されない。
【０１２２】
次に、パス設定処理部１０１は、ネットワーク制御部１００の指示に従い、新規パスを削除する（ステップＳｔ２０）。このとき、パス設定処理部１０１は、新規パスが経由するノード＃１〜＃６のＲＯＡＤＭ２及びトランスポンダ３に所定の波長のパスの設定を削除する。
【０１２３】
次に、ネットワーク制御部１００は、各既存パスの光信号のパワーを、パスＤＢ１３１に登録されたパワーの予備値に戻す（ステップＳｔ２１）。その後、パス設定処理部１０１は、再び新規パスの経路計算を行う（ステップＳｔ３）。
【０１２４】
また、パワー調整が成功した場合（ステップＳｔ１８のＹｅｓ）、伝送品質測定部１０３は、ネットワーク制御部１００の指示に従い、新規パスの光信号のＱ値を測定する（ステップＳｔ１２）。次に、ネットワーク制御部１００は、Ｑ値が、光信号のパワーを増加させる前より増加したか否かを判定する（ステップＳｔ１３）。より具体的には、ネットワーク制御部１００は、前回（ステップＳｔ７またはＳｔ１２）の処理で測定したＱ値と新たにステップＳｔ１２の処理で測定したＱ値を比較することにより、図４に示された光信号の伝送特性において、パワーの制御点が領域Ｘ１と領域Ｘ２の何れにあるのかを判定する。
【０１２５】
ネットワーク制御部１００は、Ｑ値が減少した場合（ステップＳｔ１３のＮｏ）、パワーの制御点が領域Ｘ２にあると判定し、新規パスに含まれる各リンクＬについて、ネットワーク構成ＤＢ１３０内の「使用可否」情報を不可（使用不可）に設定する（ステップＳｔ１９）。このため、新規パスのリンクＬは、再び新規パスの経路計算を行うとき（ステップＳｔ３）に新規パスの一部として使用されない。
【０１２６】
次に、パス設定処理部１０１は、ネットワーク制御部１００の指示に従い、新規パスを削除する（ステップＳｔ２０）。
【０１２７】
このように、パス設定処理部１０１は、パワー制御部１０２が新規パスの光信号のパワーを増加させた場合、伝送品質測定部１０３により測定された新規パスの光信号のＱ値が低下したとき（ステップＳｔ１３のＮｏ）、新規パスを削除する。このため、光ネットワーク制御装置１は、Ｑ値の傾きに基づいて、既存パスに重なるように新規パスを設定した場合でも（つまり、Ｑ値の傾き＞ＴＨの場合）、伝送品質の等化において、新規パスのＱ値が目標値に達しないことを検出して新規パスの設定を削除することができる。
【０１２８】
次に、ネットワーク制御部１００は、各既存パスの光信号のパワーを、パスＤＢ１３１に登録されたパワーの予備値に戻す（ステップＳｔ２１）。その後、パス設定処理部１０１は、再び新規パスの経路計算を行う（ステップＳｔ３）。
【０１２９】
また、ネットワーク制御部１００は、Ｑ値が増加した場合（ステップＳｔ１３のＹｅｓ）、パワーの制御点が領域Ｘ１にあると判定し、Ｑ値を目標値と比較する（ステップＳｔ１４）。ネットワーク制御部１００は、Ｑ値が目標値に達していない場合（ステップＳｔ１４のＮｏ）、新規パスのパワーを１段階だけ増加させる（ステップＳｔ８）。その後、ステップＳｔ９以降の処理が再び実行される。
【０１３０】
また、ネットワーク制御部１００は、Ｑ値が目標値に達している場合（ステップＳｔ１４のＹｅｓ）、新規パスをパスＤＢに登録する（ステップＳｔ１５）。このとき、ネットワーク制御部１００は、式（３）からＱ値の傾きを算出する。これにより、新規パスの通過ノードＩＤ、パワー、及びＱ値の傾きがパスＤＢに登録される。
【０１３１】
次に、ネットワーク制御部１００は、既存パスの光信号のパワー及びＱ値の傾きを調整後のパワー及びＱ値の傾きにそれぞれ更新する（ステップＳｔ１６）。このとき、ネットワーク制御部１００は、既存パスＲａのＱ値の傾きを算出する。なお、既存パスの光信号のパワー調整（ステップＳｔ１７）が行われなかった場合、本処理は実行されない。
【０１３２】
このように、ネットワーク制御部１００は、パワー制御部１０２が既存パスの光信号のパワーを増加させた場合、伝送品質測定部１０３により測定された既存パスの光信号のＱ値が目標値に達したとき、つまり、既存パスのパワー調整に成功したとき（ステップＳｔ１８のＹｅｓ）、ＨＤＤ１３に記憶されたＱ値の傾きを更新する。このため、光ネットワーク制御装置１は、伝送品質の等化が完了した場合、既存パスの光信号の変更後のパワーに応じてＱ値の傾きを更新することにより次の新規パスの設定に備えることができる。このようにして、光ネットワーク制御装置１は動作する。
【０１３３】
図１５は、新規パスの経路計算処理の一例を示すフローチャートである。本処理は、図１４のステップＳｔ３において実行される。
【０１３４】
パス設定処理部１０１は、各リンクＬのメトリックをリンク長に設定する（ステップＳｔ３１）。次に、パス設定処理部１０１は、パスＤＢに登録された既存パスの１つを選択する（ステップＳｔ３２）。次に、パス設定処理部１０１は、パスＤＢ内のＱ値の傾きを所定の閾値ＴＨと比較する（ステップＳｔ３３）。閾値ＴＨは、例えば、図４に示される光信号の伝送特性に基づいて予め決定される。
【０１３５】
パス設定処理部１０１は、Ｑ値の傾きが閾値ＴＨ以下である場合（ステップＳｔ３３のＹｅｓ）、該当するリンクＬのメトリックをリンク長／Ｑ値の傾きに変更する（ステップＳｔ３４）。このため、リンクＬのメトリックは、Ｑ値の傾きが小さいほど、大きくなる。また、パス設定処理部１０１は、Ｑ値の傾きが閾値ＴＨより大きい場合（ステップＳｔ３３のＮｏ）、ステップＳｔ３４の処理を実行しない。
【０１３６】
次に、パス設定処理部１０１は、パスＤＢ内の全ての既存パスを選択済みであるか否かを判定する（ステップＳｔ３５）。パス設定処理部１０１は、未選択の既存パスがある場合（ステップＳｔ３５のＮｏ）、他の既存パスを選択して（ステップＳｔ３２）、ステップＳｔ３３以降の処理を再実行する。
【０１３７】
また、パス設定処理部１０１は、全ての既存パスが設定済みである場合（ステップＳｔ３５のＹｅｓ）、ネットワーク構成ＤＢ１３０に基づいて、「使用可否」情報が「可」（使用可能）を示すリンクＬを選択する（ステップＳｔ３６）。このため、パス設定処理部１０１は、上記のステップＳｔ１９の処理により「使用可否」情報が「不可」（使用不可能）に設定されたリンクＬを選択しない。
【０１３８】
次に、パス設定処理部１０１は、例えば、選択中の各リンクＬのメトリックを用いて最短距離法により新規パスの経路計算を行う（ステップＳｔ３７）。このとき、Ｑ値の傾きが閾値ＴＨ以下である既存パスのリンクＬのメトリックは、ステップＳｔ３４の処理により増加しているため、パス設定処理部１０１は、該当するリンクＬを選択しない。このため、パス設定処理部１０１は、Ｑ値の傾きが閾値ＴＨ以下である既存パスと経路が重ならないように新規パスの経路計算を行う。このようにして、新規パスの経路計算処理は実行される。
【０１３９】
このように、パス設定処理部１０１は、上記のステップＳｔ３３の処理により、既存パスの少なくとも一部と重なるように他の光信号の新規パスを設定するか否かをＱ値の傾きから判定する。このため、パス設定処理部１０１は、Ｑ値の傾きに基づきパス設計の判断を高精度に行うことができる。
【０１４０】
また、パス設定処理部１０１は、上記のステップＳｔ５の処理において、その判定の結果に従いネットワークＮＷに対し新規パスを設定する。このため、パス設定処理部１０１は、既存パスの光信号のＱ値の傾きに応じて適切に新規パスを設定することができる。
【０１４１】
より具体的には、パス設定処理部１０１は、ステップＳｔ３４の処理により、既存パスのＱ値の傾きが所定の閾値ＴＨ以下である場合、その既存パスに含まれる１以上のリンクに対し、メトリックを他のリンクより大きく設定することにより、その既存パスと経路が重ならないように新規パスを設定する。このため、パス設定処理部１０１は、品質余裕が小さい光信号のパスに重ならないように新規パスを設定することができるため、既存パスのＱ値を目標値に維持するとともに新規パスを設定することができる。
【０１４２】
図１６は、既存パスのパワー調整処理の一例を示すフローチャートである。本処理は、図１４のステップＳｔ１７において実行される。
【０１４３】
ネットワーク制御部１００は、パスＤＢ１３１からＱ値の傾きが最小の既存パスを選択する（ステップＳｔ４１）。次に、伝送品質測定部１０３は、ネットワーク制御部１００の指示に従い、選択中の既存パスの光信号のＱ値を測定する（ステップＳｔ４２）。
【０１４４】
次に、パワー制御部１０２は、ネットワーク制御部１００の指示に従い、既存パスの光信号のパワーを一段階だけ増加させる（ステップＳｔ４３）。次に、ネットワーク制御部１００は、パスＤＢ１３１内の既存パスのパワーの予備値を更新する（ステップＳｔ４４）。次に、ネットワーク制御部１００は、選択中の既存パスに含まれる少なくとも一部のリンクＬが他の既存パスに含まれるリンクＬと重複するか否かを判定する（ステップＳｔ４５）。
【０１４５】
選択中の既存パスと他の既存パスの間に重複がない場合（ステップＳｔ４５のＮｏ）、後述するステップＳｔ４９の処理が実行される。選択中の既存パスと他の既存パスの間に重複がある場合（ステップＳｔ４５のＹｅｓ）、伝送品質測定部１０３は、ネットワーク制御部１００の指示に従い、該当する他の既存パスのＱ値を測定する（ステップＳｔ４６）。次に、ネットワーク制御部１００は、該当する他の既存パスのうち、ステップＳｔ４３におけるパワーの増加によりＱ値が目標値を下回ったパスの有無を判定する（ステップＳｔ４７）。Ｑ値が目標値を下回ったパスがない場合（ステップＳｔ４７のＮｏ）、後述するステップＳｔ４８の処理が実行される。
【０１４６】
また、Ｑ値が目標値を下回ったパスがある場合（ステップＳｔ４７のＹｅｓ）、パワー制御部１０２は、ネットワーク制御部１００の指示に従い、該当する既存パスの光信号について、Ｑ値が目標値となるようにパワーを調整する（ステップＳｔ５５）。すなわち、伝送品質測定部１０３は既存パスの光信号の伝送品質の等化を行う。本処理では、図１６に示された処理が、該当する既存パスについてさらに実行される。
【０１４７】
このように、パワー制御部１０２は、既存パスの光信号のパワーを増加させた場合、伝送品質測定部１０３により測定された他の既存パスの光信号のＱ値が目標値を下回ったとき、その既存パスの光信号のパワーを増加させる。より具体的には、パワー制御部１０２は、伝送品質の等化において、既存パスの光信号のパワーの増加により伝送特性が低下した他の既存パスの光信号のパワーを、Ｑ値の目標値に応じて増加させる。これにより、他の既存パスの光信号のＱ値が目標値に維持される。
【０１４８】
次に、ネットワーク制御部１００は、該当する既存パスの光信号のパワーの調整の成否を判定する（ステップＳｔ５６）。より具体的には、ネットワーク制御部１００は、既存パスの光信号のＱ値を目標値となるようにパワーを調整できた場合、成功と判定し、既存パスの光信号のＱ値を目標値となるようにパワーを調整できなかった場合、失敗と判定する。例えば、品質余裕が大きい既存パスの光信号（図９参照）であれば、パワー調整によりＱ値を目標値とすることができるが、品質余裕が小さい既存パスの光信号（図１０参照）であれば、パワー調整によりＱ値を目標値とすることができない。
【０１４９】
ネットワーク制御部１００は、パワー調整が失敗した場合（ステップＳｔ５６のＮｏ）、既存パスのパワー調整処理を失敗と判定して（ステップＳｔ５７）、処理を終了する。この判定結果は、図１４のステップＳｔ１８の処理において用いられる。
【０１５０】
また、パワー調整が成功した場合（ステップＳｔ５６のＹｅｓ）、あるいはＱ値が目標値を下回ったパスがない場合（ステップＳｔ４７のＮｏ）、伝送品質測定部１０３は、ネットワーク制御部１００の指示に従い、選択中の既存パスの光信号のＱ値を測定する（ステップＳｔ４８）。次に、ネットワーク制御部１００は、Ｑ値が、光信号のパワーを増加させる前より増加したか否かを判定する（ステップＳｔ４９）。より具体的には、ネットワーク制御部１００は、前回（ステップＳｔ４２またはＳｔ４８）の処理で測定したＱ値と新たにステップＳｔ４８の処理で測定したＱ値を比較することにより、図４に示された光信号の伝送特性において、パワーの制御点が領域Ｘ１と領域Ｘ２の何れにあるのかを判定する。
【０１５１】
ネットワーク制御部１００は、Ｑ値が減少した場合（ステップＳｔ４９のＮｏ）、パワーの制御点が領域Ｘ２にあると判定し、パワー調整が失敗であると判定して（ステップＳｔ５７）、処理を終了する。
【０１５２】
また、ネットワーク制御部１００は、Ｑ値が増加した場合（ステップＳｔ４９のＹｅｓ）、パワーの制御点が領域Ｘ１にあると判定し、Ｑ値を目標値と比較する（ステップＳｔ５０）。ネットワーク制御部１００は、Ｑ値が目標値に達していない場合（ステップＳｔ５０のＮｏ）、選択中の既存パスのパワーを１段階だけ増加させる（ステップＳｔ４３）。その後、ステップＳｔ４４以降の処理が再び実行される。
【０１５３】
また、ネットワーク制御部１００は、Ｑ値が目標値に達している場合（ステップＳｔ５０のＹｅｓ）、パスＤＢ１３１内の選択中の既存パスのＱ値の傾きの予備値を更新する（ステップＳｔ５１）。
【０１５４】
次に、ネットワーク制御部１００は、新規パスと重なる全ての既存パスを選択済みであるか否かを判定する（ステップＳｔ５２）。ネットワーク制御部１００は、全ての既存パスを選択済みである場合（ステップＳｔ５２のＹｅｓ）、パワー調整が成功であると判定して（ステップＳｔ５３）、処理を終了する。
【０１５５】
また、ネットワーク制御部１００は、未選択の既存パスがある場合（ステップＳｔ５２のＮｏ）、Ｑ値の傾きが次に最小の既存パスを選択して（ステップＳｔ５４）、その既存パスについてステップＳｔ４２以降の処理を再実行する。
【０１５６】
このように、パワー制御部１０２は、複数の既存パスが存在する場合、Ｑ値の傾きの低い順に各既存パスの光信号のパワーを増加させる。このため、光ネットワーク制御装置１は、品質余裕が小さい光信号の既存パスから順にそのＱ値が目標値に達するか否かを判定することができる。したがって、光ネットワーク制御装置１は、Ｑ値が目標値に達することが不可能な既存パスを早期に検出して、新規パスの経路計算の再実行のタイミングを早めることができる。
【０１５７】
また、図１４及び図１６を参照して述べたように、パワー制御部１０２は、新規パスの光信号のパワーを増加させた場合、伝送品質測定部１０３により測定された既存パスの光信号のＱ値が目標値を下回ったとき（ステップＳｔ１１のＹｅｓ）、その既存パスの光信号のパワーを増加させる（ステップＳｔ４３）。これにより、既存パスの光信号のＱ値が目標値に維持される。
【０１５８】
次に、図１４〜図１６を参照して述べたネットワーク管理方法によるパスの設定及び伝送品質の等化の例を説明する。ここで、光ネットワーク制御装置１は、図１に示されるように、ネットワークＮＷに対し最初にパスＲａを設定したと仮定する。このとき、ネットワークＮＷには既存パスがないため、光ネットワーク制御装置１は、ステップＳｔ３の処理により最短距離法でパスＲａの経路計算を行い、ステップＳｔ８〜Ｓｔ１４の処理を繰り返すことによりパスＲａの光信号のＱ値を目標値に制御する。
【０１５９】
光ネットワーク制御装置１は、パスＲａの光信号のパワーを、一例として０．６（dBm）に制御した場合、そのＱ値が目標値になったとき、ステップＳｔ１５の処理によりパスＤＢ１３１にパワー及びＱ値の傾きを登録する。このときのパスＤＢ１３１は、図１３に示される通りである。ここで、伝送品質測定部１０３は、式（１）からＱ値の傾きを算出する。
【０１６０】
（２本目のパスの設定）
次に、光ネットワーク制御装置１は、ノード＃４とノード＃６の間にパス設定の要求を受けたと仮定する。光ネットワーク制御装置１は、閾値ＴＨを０．５とすれば、パスＤＢ１３１から既存パスＲａのＱ値の傾きが０．９９であり、閾値ＴＨより大きいため、既存パスＲａの少なくとも一部と重なるように新規パスＲｂを設定することが可能であると判定する。このため、光ネットワーク制御装置１は、ステップＳｔ３の処理により、既存パスＲａの各リンクＬのメトリックをリンク長に設定して、新規パスＲｂの経路計算を行う。
【０１６１】
図１７は、２本のパスＲａ，Ｒｂが設定されたネットワークＮＷの一例を示す図である。新規パスＲｂはノード＃４〜＃６をこの順に経由する。新規パスＲｂは、ノード＃４とノード＃５の間のリンクＬ及びノード＃５とノード＃６の間のリンクＬにおいて他の既存パスＲａと重なる。
【０１６２】
このため、光ネットワーク制御装置１は、新規パスＲｂの光信号のパワーを増加した場合に既存パスＲａの光信号のＱ値が目標値を下回ると、ステップＳｔ１７の処理により既存パスＲａの光信号のパワーを、既存パスＲａのＱ値が目標値になるように調整する。光ネットワーク制御装置１は、既存パスＲａと重なる他の既存パスはないため、ステップＳｔ４３〜Ｓｔ５０の処理を繰り返すことにより既存パスＲａの光信号のＱ値を目標値に制御する。
【０１６３】
なお、光ネットワーク制御装置１は、パワー調整で既存パスＲａのＱ値が目標値に達しない場合、ステップＳｔ５７の処理によりパワー調整が失敗したと判定し、ステップＳｔ２０の処理により新規パスＲｂを削除する。この場合、既存パスＲａの各リンクＬの「使用可否」情報は、ステップＳｔ１９の処理により「不可」に設定され、その他のリンクＬを用いて新規パスＲｂの経路計算が再び行われる。
【０１６４】
光ネットワーク制御装置１は、ステップＳｔ８〜Ｓｔ１４，Ｓｔ１７、Ｓｔ１８の処理を繰り返すことにより新規パスＲｂ及び既存パスＲａの各光信号のＱ値を目標値に制御する。なお、光ネットワーク制御装置１は、新規パスＲｂのＱ値が減少した場合、新規パスＲｂの各リンクＬの「使用可否」情報を、ステップＳｔ１９の処理により「不可」に設定し、その他のリンクＬを用いて新規パスＲｂの経路計算を再び行う。
【０１６５】
図１８は、２本のパスＲａ，Ｒｂが登録されたパスＤＢ１３１の一例を示す図である。光ネットワーク制御装置１は、新規パスＲｂの光信号のパワーを、一例として０．５（dBm）に制御した場合、そのＱ値が目標値になったとき、ステップＳｔ１５の処理によりパスＤＢ１３１に対し新規パスＲｂのパワーとして０．５（dBm）を登録する。また、光ネットワーク制御装置１は、このときのＱ値の傾きとして０．８５を登録する。
【０１６６】
また、光ネットワーク制御装置１は、既存パスＲａの光信号のパワーを、一例として０．７（dBm）に制御した場合、そのＱ値が目標値になったとき、ステップＳｔ１６の処理によりパスＤＢ１３１内の既存パスＲａのパワーを０．７（dBm）に更新する。また、光ネットワーク制御装置１は、パスＤＢ１３１内の既存パスＲａのＱ値の傾きを０．４９に更新する。
【０１６７】
（３本目のパスの設定）
次に、光ネットワーク制御装置１は、ノード＃３とノード＃５の間にパス設定の要求を受けたと仮定する。光ネットワーク制御装置１は、閾値ＴＨを０．５とすれば、パスＤＢ１３１から既存パスＲａのＱ値の傾きが０．４９であり、閾値ＴＨより小さいため、既存パスＲａの少なくとも一部と重なるように新規パスＲｂを設定することが不可能であると判定する。このため、光ネットワーク制御装置１は、ステップＳｔ３の処理により、既存パスＲａの各リンクＬのメトリックをリンク長の２．０４倍（１／０．４９）に設定して、新規パスＲｂの経路計算を行う。
【０１６８】
図１９は、３本のパスＲａ〜Ｒｃが設定されたネットワークＮＷの一例を示す図である。新規パスＲｃはノード＃３，＃２，＃５をこの順に経由する。新規パスＲｃは、既存パスＲａのＱ値の傾きが閾値ＴＨより小さいため、既存パスＲａと経路が重ならないように設定される。また、新規パスＲｃは、既存パスＲｂとも経路が重ならないように設定される。
【０１６９】
光ネットワーク制御装置１は、新規パスＲｃと重なる既存パスがないため、ステップＳｔ８〜Ｓｔ１４の処理を繰り返すことにより新規パスＲｃの各光信号のＱ値を目標値に制御する。なお、光ネットワーク制御装置１は、新規パスＲｃのＱ値が減少した場合、新規パスＲｃの各リンクＬの「使用可否」情報を、ステップＳｔ１９の処理により「不可」に設定し、その他のリンクＬを用いて新規パスＲｃの経路計算を再び行う。
【０１７０】
図２０は、３本のパスＲａ〜Ｒｃが登録されたパスＤＢ１３１の一例を示す図である。光ネットワーク制御装置１は、新規パスＲｃの光信号のパワーを、一例として０．６（dBm）に制御した場合、そのＱ値が目標値になったとき、ステップＳｔ１５の処理によりパスＤＢ１３１に対し新規パスＲｃのパワーとして０．６（dBm）を登録する。また、光ネットワーク制御装置１は、このときのＱ値の傾きとして０．９１を登録する。
【０１７１】
（４本目のパスの設定）
次に、光ネットワーク制御装置１は、ノード＃４とノード＃６の間にパス設定の要求を受けたと仮定する。本例では、説明の便宜上、図２０に示されたパスＤＢ１３１の既存パスＲａのＱ値の傾きを０．４９から０．５５に変更する。
【０１７２】
光ネットワーク制御装置１は、閾値ＴＨを０．５とすれば、パスＤＢ１３１から既存パスＲａのＱ値の傾きが０．５５であり、閾値ＴＨより大きいため、既存パスＲａの少なくとも一部と重なるように新規パスＲｄを設定することが可能であると判定する。また、光ネットワーク制御装置１は、パスＤＢ１３１から既存パスＲｂ，ＲｃのＱ値の傾きも閾値ＴＨより大きいため、既存パスＲｂ，Ｒｃの少なくとも一部と重なるように新規パスＲｄを設定することが可能であると判定する。このため、光ネットワーク制御装置１は、ステップＳｔ３の処理により、既存パスＲａ〜Ｒｃの各リンクＬのメトリックをリンク長に設定して、新規パスＲｄの経路計算を行う。
【０１７３】
図２１は、４本のパスＲａ〜Ｒｄが設定されたネットワークＮＷの一例を示す図である。新規パスＲｄはノード＃４〜＃６をこの順に経由する。新規パスＲｄは、ノード＃４とノード＃５の間のリンクＬ及びノード＃５とノード＃６の間のリンクＬにおいて他の既存パスＲａ，Ｒｂと重なる。
【０１７４】
このため、光ネットワーク制御装置１は、新規パスＲｄの光信号のパワーを増加した場合に既存パスＲａ，Ｒｂの光信号のＱ値が目標値を下回ると、ステップＳｔ１７の処理により既存パスＲａ，Ｒｂの光信号のパワーを、既存パスＲａ，ＲｂのＱ値が目標値になるように調整する。このとき、光ネットワーク制御装置１は、ステップＳｔ４１の処理により既存パスＲａ，Ｒｂの各Ｑ値の傾きを比較し、既存パスＲａのＱ値の傾きが既存パスＲｂのＱ値の傾きより小さいため、既存パスＲａのパワー調整を行った後、既存パスＲｂのパワー調整を行う。
【０１７５】
このように、光ネットワーク制御装置１は、品質余裕が小さい既存パスＲａを、品質余裕が大きい既存パスＲｂより先にパワー調整するため、パワー調整の失敗を早いタイミングで判定することができる。なお、既存パスＲｃは新規パスＲｄと重ならないので、既存パスＲｃの光信号のパワー調整は実行されない。
【０１７６】
なお、光ネットワーク制御装置１は、パワー調整で既存パスＲａ，ＲｂのＱ値が目標値に達しない場合、ステップＳｔ５７の処理によりパワー調整が失敗したと判定し、ステップＳｔ２０の処理により新規パスＲｄを削除する。この場合、既存パスＲａ，Ｒｂの各リンクＬの「使用可否」情報は、ステップＳｔ１９の処理により「不可」に設定され、その他のリンクＬを用いて新規パスＲｄの経路計算が再び行われる。
【０１７７】
光ネットワーク制御装置１は、ステップＳｔ８〜Ｓｔ１４，Ｓｔ１７、Ｓｔ１８の処理を繰り返すことにより新規パスＲｄ及び既存パスＲａ，Ｒｂの各光信号のＱ値を目標値に制御する。なお、光ネットワーク制御装置１は、新規パスＲｄのＱ値が減少した場合、新規パスＲｄの各リンクＬの「使用可否」情報を、ステップＳｔ１９の処理により「不可」に設定し、その他のリンクＬを用いて新規パスＲｄの経路計算を再び行う。
【０１７８】
図２２は、４本のパスＲａ〜Ｒｄが登録されたパスＤＢ１３１の一例を示す図である。光ネットワーク制御装置１は、新規パスＲｄの光信号のパワーを、一例として０．５（dBm）に制御した場合、そのＱ値が目標値になったとき、ステップＳｔ１５の処理によりパスＤＢ１３１に対し新規パスＲｄのパワーとして０．５（dBm）を登録する。また、光ネットワーク制御装置１は、このときのＱ値の傾きとして０．８５を登録する。
【０１７９】
また、光ネットワーク制御装置１は、既存パスＲａの光信号のパワーを、一例として０．８（dBm）に制御した場合、そのＱ値が目標値になったとき、ステップＳｔ１６の処理によりパスＤＢ１３１内の既存パスＲａのパワーを０．８（dBm）に更新する。また、光ネットワーク制御装置１は、パスＤＢ１３１内の既存パスＲａのＱ値の傾きを０．５０に更新する。
【０１８０】
また、光ネットワーク制御装置１は、既存パスＲｂの光信号のパワーを、一例として０．６（dBm）に制御した場合、そのＱ値が目標値になったとき、ステップＳｔ１６の処理によりパスＤＢ１３１内の既存パスＲｂのパワーを０．６（dBm）に更新する。また、光ネットワーク制御装置１は、パスＤＢ１３１内の既存パスＲｂのＱ値の傾きを０．７５に更新する。
【０１８１】
このようにして、光ネットワーク制御装置１は、各パスＲａ〜Ｒｄの光信号の伝送品質の等化を行う。このため、各パスＲａ〜Ｒｄの光信号は、要求された伝送品質を維持することができる。
【０１８２】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【０１８３】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【０１８４】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１８５】
上述した実施形態は本発明の好適な実施の例である。但し、これに限定されるものではなく、本発明の要旨を逸脱しない範囲内において種々変形実施可能である。
【０１８６】
なお、以上の説明に関して更に以下の付記を開示する。
（付記１）  第１パスの光信号のパワーに対する伝送品質の変化率を記憶する記憶部と、
前記第１パスの経路の少なくとも一部と重なるように他の光信号の第２パスを設定するか否かを前記変化率から判定する設定処理部とを有するネットワーク管理装置。
（付記２）  前記設定処理部は、前記判定の結果に従い前記第２パスを設定することを特徴とする付記１に記載のネットワーク管理装置。
（付記３）  前記設定処理部は、前記変化率が所定の閾値以下である場合、前記第１パスに含まれる１以上のリンクに対して、パス設定時の選択の優先度を他のリンクより低く設定することにより、前記第１パスの経路と重ならないように前記第２パスを設定することを特徴とする付記２に記載のネットワーク管理装置。
（付記４）  前記第１パス及び前記第２パスの各光信号のパワーを制御する制御部と、
前記第１パス及び前記第２パスの各光信号の伝送品質を測定する測定部とを有し、
前記記憶部は、前記第１パスの光信号の伝送品質が所定値であるときの前記第１パスの光信号のパワーに対する前記伝送品質の変化率を記憶し、
前記制御部は、前記第２パスの光信号のパワーを増加させた場合、前記測定部により測定された前記第１パスの光信号の伝送品質が前記所定値を下回ったとき、前記第１パスの光信号のパワーを増加させることを特徴とする付記２または３に記載のネットワーク管理装置。
（付記５）  前記設定処理部は、前記制御部が前記第２パスの光信号のパワーを増加させた場合、前記測定部により測定された前記第２パスの光信号の伝送品質が低下したとき、前記第２パスを削除することを特徴とする付記４に記載のネットワーク管理装置。
（付記６）  前記制御部が前記第１パスの光信号のパワーを増加させた場合、前記測定部により測定された前記第１パスの光信号の伝送品質が前記所定値に達したとき、前記記憶部に記憶された前記変化率を更新する更新部を有することを特徴とする付記４または５に記載のネットワーク管理装置。
（付記７）  前記制御部は、前記第１パスが複数存在する場合、前記変化率の低い順に前記第１パスの光信号のパワーを増加させることを特徴とする付記４乃至６の何れかに記載のネットワーク管理装置。
（付記８）  第１パスの光信号のパワーに対する伝送品質の変化率を記憶し、
前記第１パスの経路の少なくとも一部と重なるように他の光信号の第２パスを設定するか否かを前記変化率から判定する、処理をコンピュータに実行させることを特徴とするネットワーク管理プログラム。
（付記９）  前記判定の結果に従い前記第２パスを設定する処理を前記コンピュータに実行させることを特徴とする付記８に記載のネットワーク管理プログラム。
（付記１０）  前記変化率が所定の閾値以下である場合、前記第１パスに含まれる１以上のリンクに対して、パス設定時の選択の優先度を他のリンクより低く設定することにより、前記第１パスの経路と重ならないように前記第２パスを設定することを特徴とする付記９に記載のネットワーク管理プログラム。
（付記１１）  前記第１パスの光信号の伝送品質が所定値であるときの前記第１パスの光信号のパワーに対する前記伝送品質の変化率を記憶し、
前記第２パスの光信号のパワーを増加させた場合、前記第１パスの光信号の伝送品質が前記所定値を下回ったとき、前記第１パスの光信号のパワーを増加させる処理を前記コンピュータに実行させることを特徴とする付記９または１０に記載のネットワーク管理プログラム。
（付記１２）  前記第２パスの光信号のパワーを増加させた場合、前記第２パスの光信号の伝送品質が低下したとき、前記第２パスを削除する処理を前記コンピュータに実行させることを特徴とする付記１１に記載のネットワーク管理プログラム。
（付記１３）  前記第１パスの光信号のパワーを増加させた場合、前記第１パスの光信号の伝送品質が前記所定値に達したとき、記憶された前記変化率を更新する処理を前記コンピュータに実行させることを特徴とする付記１１または１２に記載のネットワーク管理プログラム。
（付記１４）  前記第１パスが複数存在する場合、前記変化率の低い順に前記第１パスの光信号のパワーを増加させることを特徴とする付記１１乃至１３の何れかに記載のネットワーク管理プログラム。
（付記１５）  第１パスの光信号のパワーに対する伝送品質の変化率を記憶する工程と、
前記第１パスの経路の少なくとも一部と重なるように他の光信号の第２パスを設定するか否かを前記変化率から判定する工程とを、コンピュータが実行することを特徴とするネットワーク管理方法。
（付記１６）  前記判定の結果に従い前記第２パスを設定する処理を前記コンピュータが実行することを特徴とする付記１５に記載のネットワーク管理方法。
（付記１７）  前記変化率が所定の閾値以下である場合、前記第１パスに含まれる１以上のリンクに対して、パス設定時の選択の優先度を他のリンクより低く設定することにより、前記第１パスの経路と重ならないように前記第２パスを設定することを特徴とする付記１６に記載のネットワーク管理方法。
（付記１８）  前記第１パスの光信号の伝送品質が所定値であるときの前記第１パスの光信号のパワーに対する前記伝送品質の変化率を記憶し、
前記第２パスの光信号のパワーを増加させた場合、前記第１パスの光信号の伝送品質が前記所定値を下回ったとき、前記第１パスの光信号のパワーを増加させる処理を前記コンピュータが実行することを特徴とする付記１６または１７に記載のネットワーク管理方法。
（付記１９）  前記第２パスの光信号のパワーを増加させた場合、前記第２パスの光信号の伝送品質が低下したとき、前記第２パスを削除する処理を前記コンピュータが実行することを特徴とする付記１８に記載のネットワーク管理方法。
（付記２０）  前記第１パスの光信号のパワーを増加させた場合、前記第１パスの光信号の伝送品質が前記所定値に達したとき、記憶された前記変化率を更新する処理を前記コンピュータが実行することを特徴とする付記１８または１９に記載のネットワーク管理方法。
（付記２１）  前記第１パスが複数存在する場合、前記変化率の低い順に前記第１パスの光信号のパワーを増加させることを特徴とする付記１８乃至２０の何れかに記載のネットワーク管理方法。
【符号の説明】
【０１８７】
１                                              ネットワーク制御装置
２                                              ＲＯＡＤＭ
３                                              トランスポンダ
１０                                            ＣＰＵ
１３                                            ＨＤＤ
１００                                          ネットワーク制御部
１０１                                          パス設定処理部
１０２                                          パワー制御部
１０３                                          伝送品質測定部
【図１】
2018082344.tif 000005
【図２】
2018082344.tif 000006
【図３】
2018082344.tif 000007
【図４】
2018082344.tif 000008
【図５】
2018082344.tif 000009
【図６】
2018082344.tif 000010
【図７】
2018082344.tif 000011
【図８】
2018082344.tif 000012
【図９】
2018082344.tif 000013
【図１０】
2018082344.tif 000014
【図１１】
2018082344.tif 000015
【図１２】
2018082344.tif 000016
【図１３】
2018082344.tif 000017
【図１４】
2018082344.tif 000018
【図１５】
2018082344.tif 000019
【図１６】
2018082344.tif 000020
【図１７】
2018082344.tif 000021
【図１８】
2018082344.tif 000022
【図１９】
2018082344.tif 000023
【図２０】
2018082344.tif 000024
【図２１】
2018082344.tif 000025
【図２２】
2018082344.tif 000026